【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
機能を象徴化したアイコン画像を表示手段に表示させる第１の表示制御手段と、
前記第１の表示制御手段によってアイコン画像が表示されてからの経過時間を検出する時間検出手段と、
前記第１の表示制御手段によって表示されたアイコン画像の表示位置を検出する位置検出手段と、
前記時間検出手段によって検出された経過時間と、前記位置検出手段によって検出されたアイコン画像の表示位置とに基づいて、当該アイコン画像に対応する機能の名称を前記表示手段に表示させる第２の表示制御手段と、
を備えたことを特徴とする機能表示装置。
【請求項２】
前記第２の表示制御手段によって機能の名称が表示された表示頻度を検出する頻度検出手段と、
前記頻度検出手段によって検出された表示頻度に基づいて、前記第１の表示制御手段によってアイコン画像が表示されてから前記第２の表示制御手段によって機能の名称を表示するまでの時間を設定する設定手段と、
を更に備え、
前記第２の表示制御手段は、前記設定手段によって設定された時間と、前記時間検出手段によって検出された経過時間と、前記位置検出手段によって検出されたアイコン画像の表示位置とに基づいて、当該アイコン画像に対応する機能の名称を前記表示手段に表示させることを特徴とする請求項１に記載の機能表示装置。
【請求項３】
前記第１の表示制御手段によってアイコン画像が表示されている状態、若しくは前記第２の表示制御手段によって機能の名称が表示されている状態で、所望のアイコン画像を選択する選択手段と、
この選択手段によって選択されたアイコン画像に対応する機能の説明を前記表示手段に表示させる第３の表示制御手段と、
を更に備えたことを特徴とする請求項１に記載の機能表示装置。
【請求項４】
前記第３の表示制御手段によって機能の説明が表示された表示頻度を検出する頻度検出手段と、
前記頻度検出手段によって検出された表示頻度に基づいて、前記第１の表示制御手段によってアイコン画像が表示されてから前記第２の表示制御手段によって機能の名称を表示するまでの時間を設定する設定手段と、
を更に備え、
前記第２の表示制御手段は、前記設定手段によって設定された時間と、前記時間検出手段によって検出された経過時間と、前記位置検出手段によって検出されたアイコン画像の表示位置とに基づいて、当該アイコン画像に対応する機能の名称を前記表示手段に表示させることを特徴とする請求項３に記載の機能表示装置。
【請求項５】
前記第２の表示制御手段は、前記第１の表示制御手段によって表示されたアイコン画像に重畳して当該アイコン画像に対応する機能の名称を表示させることを特徴とする請求項１に記載の機能表示装置。
【請求項６】
前記第２の表示制御手段は、前記第１の表示制御手段によってアイコン画像が表示された位置に半透過の状態で当該アイコン画像に対応する機能の名称を表示させることを特徴とする請求項１に記載の機能表示装置。
【請求項７】
機能を象徴化したアイコン画像を表示手段に表示させる第１の表示制御ステップと、
前記第１の表示制御ステップによってアイコン画像が表示されてからの経過時間を検出する時間検出ステップと、
前記第１の表示制御ステップによって表示されたアイコン画像の表示位置を検出する位置検出ステップと、
前記時間検出ステップによって検出された経過時間と、前記位置検出ステップによって検出されたアイコン画像の表示位置とに基づいて、当該アイコン画像に対応する機能の名称を前記表示手段に表示させる第２の表示制御ステップと、
とからなる機能表示方法。
【請求項８】
コンピュータに、
機能を象徴化したアイコン画像を表示手段に表示させる機能、
前記アイコン画像が表示されてからの経過時間を検出する機能、
前記アイコン画像の表示位置を検出する機能、
前記検出された経過時間と、前記検出されたアイコン画像の表示位置とに基づいて、当該アイコン画像に対応する機能の名称を前記表示手段に表示させる機能、
を実現させるための機能表示プログラム。
【手続補正２】
【補正対象書類名】明細書
【補正対象項目名】０００８
【補正方法】変更
【補正の内容】
【０００８】
上記課題を解決するために請求項１に記載の発明は、機能を象徴化したアイコン画像を表示手段に表示させる第１の表示制御手段と、前記第１の表示制御手段によってアイコン画像が表示されてからの経過時間を検出する時間検出手段と、前記第１の表示制御手段によって表示されたアイコン画像の表示位置を検出する位置検出手段と、前記時間検出手段によって検出された経過時間と、前記位置検出手段によって検出されたアイコン画像の表示位置とに基づいて、当該アイコン画像に対応する機能の名称を前記表示手段に表示させる第２の表示制御手段と、を備えたことを特徴とする。
【手続補正３】
【補正対象書類名】明細書
【補正対象項目名】０００９
【補正方法】変更
【補正の内容】
【０００９】
請求項２に記載の発明は、請求項１に記載の発明において、前記第２の表示制御手段によって機能の名称が表示された表示頻度を検出する頻度検出手段と、前記頻度検出手段によって検出された表示頻度に基づいて、前記第１の表示制御手段によってアイコン画像が表示されてから前記第２の表示制御手段によって機能の名称を表示するまでの時間を設定する設定手段と、を更に備え、前記第２の表示制御手段は、前記設定手段によって設定された時間と、前記時間検出手段によって検出された経過時間と、前記位置検出手段によって検出されたアイコン画像の表示位置とに基づいて、当該アイコン画像に対応する機能の名称を前記表示手段に表示させることを特徴とする。
【手続補正４】
【補正対象書類名】明細書
【補正対象項目名】００１０
【補正方法】変更
【補正の内容】
【００１０】
請求項３に記載の発明は、請求項１に記載の発明において、前記第１の表示制御手段によってアイコン画像が表示されている状態、若しくは前記第２の表示制御手段によって機能の名称が表示されている状態で、所望のアイコン画像を選択する選択手段と、この選択手段によって選択されたアイコン画像に対応する機能の説明を前記表示手段に表示させる第３の表示制御手段と、を更に備えたことを特徴とする。
【手続補正５】
【補正対象書類名】明細書
【補正対象項目名】００１１
【補正方法】変更
【補正の内容】
【００１１】
請求項４に記載の発明は、請求項３に記載の発明において、前記第３の表示制御手段によって機能の説明が表示された表示頻度を検出する頻度検出手段と、前記頻度検出手段によって検出された表示頻度に基づいて、前記第１の表示制御手段によってアイコン画像が表示されてから前記第２の表示制御手段によって機能の名称を表示するまでの時間を設定する設定手段と、を更に備え、前記第２の表示制御手段は、前記設定手段によって設定された時間と、前記時間検出手段によって検出された経過時間と、前記位置検出手段によって検出されたアイコン画像の表示位置とに基づいて、当該アイコン画像に対応する機能の名称を前記表示手段に表示させることを特徴とする。
【手続補正６】
【補正対象書類名】明細書
【補正対象項目名】００１２
【補正方法】変更
【補正の内容】
【００１２】
請求項５に記載の発明は、請求項１に記載の発明において、前記第２の表示制御手段は、前記第１の表示制御手段によって表示されたアイコン画像に重畳して当該アイコン画像に対応する機能の名称を表示させることを特徴とする。
【手続補正７】
【補正対象書類名】明細書
【補正対象項目名】００１３
【補正方法】変更
【補正の内容】
【００１３】
請求項６に記載の発明は、請求項１に記載の発明において、前記第２の表示制御手段は、前記第１の表示制御手段によってアイコン画像が表示された位置に半透過の状態で当該アイコン画像に対応する機能の名称を表示させることを特徴とする。
【手続補正８】
【補正対象書類名】明細書
【補正対象項目名】００１５
【補正方法】変更
【補正の内容】
【００１５】
本発明によれば、アイコン画像から直感的に機能を想起できる操作に習熟した利用者の操作性を損ねることがなく、また、初めて扱う人でもしばらく待機するだけでアイコン画像に対応する機能を認識することができる。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
また、利用者の習熟度に応じた表示制御を行なうことができる。
【手続補正１１】
【補正対象書類名】明細書
【補正対象項目名】００１８
【補正方法】変更
【補正の内容】
【００１８】
また、利用者の使用履歴に応じた表示制御を行なうことができる。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】